(57)【要約】【課題】タスク照明器具として専用の器具を用いる必要がない照明システムを提供する。【解決手段】照明システムは、タスク照明器具１、アンビエント照明器具２、検出装置３及び制御装置４を備える。検出装置３は、被接続具１０及び状態検出部１１を備える。タスク照明器具１は、被接続具１０に着脱可能に接続される。状態検出部１１は、タスク照明器具１の点灯状態を検出する。制御装置４は、状態検出部１１が検出した点灯状態に基づいて、アンビエント照明器具２から放射される光の量を調節する。【選択図】図３
2018147629.tif 000002
【特許請求の範囲】
【請求項１】
タスク照明器具と、
前記タスク照明器具からの光が当たる領域より広い領域に光を当てるアンビエント照明器具と、
電源からの電力を前記タスク照明器具に供給する検出装置と、
前記アンビエント照明器具に電力を供給する制御装置と、
を備え、
前記検出装置は、
前記タスク照明器具が着脱可能に接続される被接続手段と、
前記タスク照明器具の点灯状態を検出する状態検出手段と、
を備え、
前記制御装置は、前記状態検出手段が検出した点灯状態に基づいて、前記アンビエント照明器具から放射される光の量を調節する照明システム。
【請求項２】
前記制御装置は、前記タスク照明器具で消費される電力と前記アンビエント照明器具で消費される電力との合計が設定電力となるように、前記アンビエント照明器具から放射される光の量を調節する請求項１に記載の照明システム。
【請求項３】
前記制御装置は、前記タスク照明器具からの光が当たる領域の照度が設定照度となるように、前記アンビエント照明器具から放射される光の量を調節する請求項１に記載の照明システム。
【請求項４】
前記検出装置は、前記状態検出手段が検出した点灯状態に対応する信号を送信する送信手段を更に備え、
前記制御装置は、
前記送信手段から送信された信号を受信する受信手段と、
前記受信手段が受信した信号に基づいて、前記アンビエント照明器具から放射される光の量を調節する調光手段と、
を更に備えた請求項１から請求項３の何れか一項に記載の照明システム。
【請求項５】
複数組の前記タスク照明器具と前記検出装置とが備えられ、
前記検出装置のそれぞれに、前記被接続手段と前記状態検出手段と前記送信手段とが備えられ、
前記状態検出手段は、対応の前記タスク照明器具の点灯状態を検出し、
前記受信手段は、前記送信手段のそれぞれから送信された信号を受信する請求項４に記載の照明システム。
【請求項６】
前記調光手段は、前記タスク照明器具のそれぞれで消費される電力と前記アンビエント照明器具で消費される電力との合計が設定電力となるように、前記アンビエント照明器具から放射される光の量を調節する請求項５に記載の照明システム。
【請求項７】
複数組の前記タスク照明器具と前記検出装置とが備えられ、
複数の前記アンビエント照明器具が備えられ、
前記制御装置は、前記複数のアンビエント照明器具に電力を供給し、
前記検出装置のそれぞれに、前記被接続手段と前記状態検出手段と前記送信手段とが備えられ、
前記状態検出手段は、対応の前記タスク照明器具の点灯状態を検出し、
前記受信手段は、前記送信手段のそれぞれから送信された信号を受信し、
前記調光手段は、前記受信手段が受信した信号に基づいて、前記アンビエント照明器具のそれぞれから放射される光の量を調節する請求項４に記載の照明システム。
【請求項８】
前記調光手段は、前記タスク照明器具のそれぞれで消費される電力と前記アンビエント照明器具のそれぞれで消費される電力との合計が設定電力となるように、前記アンビエント照明器具のそれぞれから放射される光の量を調節する請求項７に記載の照明システム。
【請求項９】
前記調光手段は、前記アンビエント照明器具のそれぞれで消費される電力が同じになるように、前記アンビエント照明器具のそれぞれから放射される光の量を調節する請求項８に記載の照明システム。
【請求項１０】
前記アンビエント照明器具に対する電力の下限値が予め設定され、
前記調光手段は、前記合計が設定電力となるように前記アンビエント照明器具から放射される光の量を調節すると前記アンビエント照明器具で消費される電力が前記下限値を下回る場合は、前記アンビエント照明器具で消費される電力が前記下限値となるように、前記アンビエント照明器具から放射される光の量を調節する請求項６又は請求項９に記載の照明システム。
【請求項１１】
タスク照明器具と、
前記タスク照明器具からの光が当たる領域より広い領域に光を当てるアンビエント照明器具と、
電源からの電力を前記タスク照明器具に供給する検出装置と、
前記アンビエント照明器具に電力を供給する制御装置と、
を備え、
前記検出装置は、
前記タスク照明器具が着脱可能に接続される被接続手段と、
前記タスク照明器具の点灯状態を検出する状態検出手段と、
前記状態検出手段が検出した点灯状態に基づいて、前記アンビエント照明器具から放射される光の量を調節するための制御指令を演算する演算手段と、
前記演算手段が演算した結果に対応する信号を送信する送信手段と、
を備え、
前記制御装置は、
前記送信手段から送信された信号を受信する受信手段と、
前記受信手段が受信した信号に基づいて、前記アンビエント照明器具を点灯させる調光制御手段と、
を備えた照明システム。
【請求項１２】
第１タスク照明器具と、
第２タスク照明器具と、
前記第１タスク照明器具又は前記第２タスク照明器具の少なくとも一方からの光が当たる領域より広い領域に光を当てるアンビエント照明器具と、
電源からの電力を前記第１タスク照明器具に供給する第１検出装置と、
電源からの電力を前記第２タスク照明器具に供給する第２検出装置と、
前記アンビエント照明器具に電力を供給する制御装置と、
を備え、
前記第１検出装置は、
前記第１タスク照明器具が着脱可能に接続される第１被接続手段と、
前記第１タスク照明器具の点灯状態を検出する第１状態検出手段と、
前記第１状態検出手段が検出した点灯状態に対応する信号を送信する第１送信手段と、
を備え、
前記第２検出装置は、
前記第２タスク照明器具が着脱可能に接続される第２被接続手段と、
前記第２タスク照明器具の点灯状態を検出する第２状態検出手段と、
前記第１送信手段から送信された信号を受信する第１受信手段と、
前記第２状態検出手段が検出した点灯状態及び前記第１受信手段が受信した信号に基づいて、前記アンビエント照明器具から放射される光の量を調節するための制御指令を演算する演算手段と、
前記演算手段が演算した結果に対応する信号を送信する第２送信手段と、
を備え、
前記制御装置は、
前記第２送信手段から送信された信号を受信する第２受信手段と、
前記第２受信手段が受信した信号に基づいて、前記アンビエント照明器具を点灯させる調光制御手段と、
を備えた照明システム。
【請求項１３】
複数組の前記第１タスク照明器具と前記第１検出装置とが備えられ、
前記第１検出装置のそれぞれに、前記第１被接続手段と前記第１状態検出手段と前記第１送信手段とが備えられ、
前記第１状態検出手段は、対応の前記第１タスク照明器具の点灯状態を検出し、
前記第１受信手段は、前記第１送信手段のそれぞれから送信された信号を受信する請求項１２に記載の照明システム。
【請求項１４】
複数組の前記アンビエント照明器具と前記制御装置とが備えられ、
前記制御装置のそれぞれに、前記第２受信手段と前記調光制御手段とが備えられ、
前記第２受信手段のそれぞれが前記第２送信手段から送信された信号を受信する請求項１３に記載の照明システム。
【請求項１５】
タスク照明器具と、
前記タスク照明器具からの光が当たる領域より広い領域に光を当てるアンビエント照明器具と、
電源からの電力を前記タスク照明器具に供給する検出装置と、
第１制御装置と、
前記アンビエント照明器具に電力を供給する第２制御装置と、
を備え、
前記検出装置は、
前記タスク照明器具が着脱可能に接続される被接続手段と、
前記タスク照明器具の点灯状態を検出する状態検出手段と、
前記状態検出手段が検出した点灯状態に対応する信号を送信する第１送信手段と、
を備え、
前記第１制御装置は、
前記第１送信手段から送信された信号を受信する第１受信手段と、
前記第１受信手段が受信した信号に基づいて、前記アンビエント照明器具から放射される光の量を調節するための制御指令を演算する演算手段と、
前記演算手段が演算した結果に対応する信号を送信する第２送信手段と、
を備え、
前記第２制御装置は、
前記第２送信手段から送信された信号を受信する第２受信手段と、
前記第２受信手段が受信した信号に基づいて、前記アンビエント照明器具を点灯させる調光制御手段と、
を備えた照明システム。
【請求項１６】
複数組の前記タスク照明器具と前記検出装置とが備えられ、
前記検出装置のそれぞれに、前記被接続手段と前記状態検出手段と前記第１送信手段とが備えられ、
前記状態検出手段は、対応の前記タスク照明器具の点灯状態を検出し、
前記第１受信手段は、前記第１送信手段のそれぞれから送信された信号を受信する請求項１５に記載の照明システム。
【請求項１７】
複数組の前記アンビエント照明器具と前記第２制御装置とが備えられ、
前記第２制御装置のそれぞれに、前記第２受信手段と前記調光制御手段とが備えられ、
前記第２受信手段のそれぞれが前記第２送信手段から送信された信号を受信する請求項１６に記載の照明システム。
【請求項１８】
電源からの電力をタスク照明器具に供給する検出装置と、
アンビエント照明器具に電力を供給する制御装置と、
を備え、
前記検出装置は、
前記タスク照明器具が着脱可能に接続される被接続手段と、
前記被接続手段に接続された前記タスク照明器具の点灯状態を検出する状態検出手段と、
を備え、
前記制御装置は、前記状態検出手段が検出した点灯状態に基づいて、前記アンビエント照明器具から放射される光の量を調節する照明制御装置。
【請求項１９】
前記制御装置は、前記タスク照明器具で消費される電力と前記アンビエント照明器具で消費される電力との合計が設定電力となるように、前記アンビエント照明器具から放射される光の量を調節する請求項１８に記載の照明制御装置。
【請求項２０】
前記制御装置は、前記タスク照明器具からの光が当たる領域の照度が設定照度となるように、前記アンビエント照明器具から放射される光の量を調節する請求項１８に記載の照明制御装置。
【請求項２１】
前記検出装置は、前記状態検出手段が検出した点灯状態に対応する信号を送信する送信手段を更に備え、
前記制御装置は、
前記送信手段から送信された信号を受信する受信手段と、
前記受信手段が受信した信号に基づいて、前記アンビエント照明器具から放射される光の量を調節する調光手段と、
を更に備えた請求項１８から請求項２０の何れか一項に記載の照明制御装置。
【請求項２２】
複数の前記検出装置が備えられ、
前記検出装置のそれぞれに、前記被接続手段と前記状態検出手段と前記送信手段とが備えられ、
前記受信手段は、前記送信手段のそれぞれから送信された信号を受信する請求項２１に記載の照明制御装置。
【請求項２３】
前記調光手段は、前記検出装置に接続された前記タスク照明器具のそれぞれで消費される電力と前記アンビエント照明器具で消費される電力との合計が設定電力となるように、前記アンビエント照明器具から放射される光の量を調節する請求項２２に記載の照明制御装置。
【請求項２４】
複数の前記検出装置が備えられ、
前記制御装置は、複数の前記アンビエント照明器具に電力を供給し、
前記検出装置のそれぞれに、前記被接続手段と前記状態検出手段と前記送信手段とが備えられ、
前記受信手段は、前記送信手段のそれぞれから送信された信号を受信し、
前記調光手段は、前記受信手段が受信した信号に基づいて、前記アンビエント照明器具のそれぞれから放射される光の量を調節する請求項２１に記載の照明制御装置。
【請求項２５】
前記調光手段は、前記検出装置に接続された前記タスク照明器具のそれぞれで消費される電力と前記制御装置が電力を供給する前記アンビエント照明器具のそれぞれで消費される電力との合計が設定電力となるように、前記アンビエント照明器具のそれぞれから放射される光の量を調節する請求項２４に記載の照明制御装置。
【請求項２６】
前記調光手段は、前記制御装置が電力を供給する前記アンビエント照明器具のそれぞれで消費される電力が同じになるように、前記アンビエント照明器具のそれぞれから放射される光の量を調節する請求項２５に記載の照明制御装置。
【請求項２７】
前記アンビエント照明器具に対する電力の下限値が予め設定され、
前記調光手段は、前記合計が設定電力となるように前記アンビエント照明器具から放射される光の量を調節すると前記アンビエント照明器具で消費される電力が前記下限値を下回る場合は、前記アンビエント照明器具で消費される電力が前記下限値となるように、前記アンビエント照明器具から放射される光の量を調節する請求項２３又は請求項２６に記載の照明制御装置。
【請求項２８】
電源からの電力をタスク照明器具に供給する検出装置と、
アンビエント照明器具に電力を供給する制御装置と、
を備え、
前記検出装置は、
前記タスク照明器具が着脱可能に接続される被接続手段と、
前記被接続手段に接続された前記タスク照明器具の点灯状態を検出する状態検出手段と、
前記状態検出手段が検出した点灯状態に基づいて、前記アンビエント照明器具から放射される光の量を調節するための制御指令を演算する演算手段と、
前記演算手段が演算した結果に対応する信号を送信する送信手段と、
を備え、
前記制御装置は、
前記送信手段から送信された信号を受信する受信手段と、
前記受信手段が受信した信号に基づいて、前記アンビエント照明器具を点灯させる調光制御手段と、
を備えた照明制御装置。
【請求項２９】
電源からの電力を第１タスク照明器具に供給する第１検出装置と、
電源からの電力を第２タスク照明器具に供給する第２検出装置と、
アンビエント照明器具に電力を供給する制御装置と、
を備え、
前記第１検出装置は、
前記第１タスク照明器具が着脱可能に接続される第１被接続手段と、
前記第１被接続手段に接続された前記第１タスク照明器具の点灯状態を検出する第１状態検出手段と、
前記第１状態検出手段が検出した点灯状態に対応する信号を送信する第１送信手段と、
を備え、
前記第２検出装置は、
前記第２タスク照明器具が着脱可能に接続される第２被接続手段と、
前記第２被接続手段に接続された前記第２タスク照明器具の点灯状態を検出する第２状態検出手段と、
前記第１送信手段から送信された信号を受信する第１受信手段と、
前記第２状態検出手段が検出した点灯状態及び前記第１受信手段が受信した信号に基づいて、前記アンビエント照明器具から放射される光の量を調節するための制御指令を演算する演算手段と、
前記演算手段が演算した結果に対応する信号を送信する第２送信手段と、
を備え、
前記制御装置は、
前記第２送信手段から送信された信号を受信する第２受信手段と、
前記第２受信手段が受信した信号に基づいて、前記アンビエント照明器具を点灯させる調光制御手段と、
を備えた照明制御装置。
【請求項３０】
複数の前記第１検出装置が備えられ、
前記第１検出装置のそれぞれに、前記第１被接続手段と前記第１状態検出手段と前記第１送信手段とが備えられ、
前記第１状態検出手段は、対応の前記第１タスク照明器具の点灯状態を検出し、
前記第１受信手段は、前記第１送信手段のそれぞれから送信された信号を受信する請求項２９に記載の照明制御装置。
【請求項３１】
複数の前記制御装置が備えられ、
前記制御装置のそれぞれに、前記第２受信手段と前記調光制御手段とが備えられ、
前記第２受信手段のそれぞれが前記第２送信手段から送信された信号を受信する請求項３０に記載の照明制御装置。
【請求項３２】
電源からの電力をタスク照明器具に供給する検出装置と、
第１制御装置と、
アンビエント照明器具に電力を供給する第２制御装置と、
を備え、
前記検出装置は、
前記タスク照明器具が着脱可能に接続される被接続手段と、
前記被接続手段に接続された前記タスク照明器具の点灯状態を検出する状態検出手段と、
前記状態検出手段が検出した点灯状態に対応する信号を送信する第１送信手段と、
を備え、
前記第１制御装置は、
前記第１送信手段から送信された信号を受信する第１受信手段と、
前記第１受信手段が受信した信号に基づいて、前記アンビエント照明器具から放射される光の量を調節するための制御指令を演算する演算手段と、
前記演算手段が演算した結果に対応する信号を送信する第２送信手段と、
を備え、
前記第２制御装置は、
前記第２送信手段から送信された信号を受信する第２受信手段と、
前記第２受信手段が受信した信号に基づいて、前記アンビエント照明器具を点灯させる調光制御手段と、
を備えた照明制御装置。
【請求項３３】
複数の前記検出装置が備えられ、
前記検出装置のそれぞれに、前記被接続手段と前記状態検出手段と前記第１送信手段とが備えられ、
前記状態検出手段は、対応の前記タスク照明器具の点灯状態を検出し、
前記第１受信手段は、前記第１送信手段のそれぞれから送信された信号を受信する請求項３２に記載の照明制御装置。
【請求項３４】
複数の前記第２制御装置が備えられ、
前記第２制御装置のそれぞれに、前記第２受信手段と前記調光制御手段とが備えられ、
前記第２受信手段のそれぞれが前記第２送信手段から送信された信号を受信する請求項３３に記載の照明制御装置。
【発明の詳細な説明】
【技術分野】
【０００１】
この発明は、照明システム及び照明制御装置に関する。
【背景技術】
【０００２】
特許文献１に、照明システムが記載されている。特許文献１に記載された照明システムは、タスク・アンビエント照明方式を採用するシステムである。特許文献１に記載されたシステムでは、タスク照明器具からアンビエント照明器具にＲＦ信号が送信される。アンビエント照明器具では、タスク照明器具から送信されたＲＦ信号に基づいて、放射される光の量が制御される。
【先行技術文献】
【特許文献】
【０００３】
【特許文献１】特開２００３−３６９８３号公報
【発明の概要】
【発明が解決しようとする課題】
【０００４】
特許文献１に記載された照明システムでは、タスク照明器具がＲＦ信号を送信するための制御部を備える。このため、タスク照明器具としてシステム専用の器具を用いなければならないといった問題があった。
【０００５】
この発明は、上述のような課題を解決するためになされた。この発明の目的は、タスク照明器具として専用の器具を用いる必要がない照明システムと、そのような照明システムを実現するための照明制御装置とを提供することである。
【課題を解決するための手段】
【０００６】
この発明に係る照明システムは、タスク照明器具と、タスク照明器具からの光が当たる領域より広い領域に光を当てるアンビエント照明器具と、電源からの電力をタスク照明器具に供給する検出装置と、アンビエント照明器具に電力を供給する制御装置と、を備える。検出装置は、タスク照明器具が着脱可能に接続される被接続手段と、タスク照明器具の点灯状態を検出する状態検出手段と、を備える。制御装置は、状態検出手段が検出した点灯状態に基づいて、アンビエント照明器具から放射される光の量を調節する。
【０００７】
この発明に係る照明システムは、タスク照明器具と、タスク照明器具からの光が当たる領域より広い領域に光を当てるアンビエント照明器具と、電源からの電力をタスク照明器具に供給する検出装置と、アンビエント照明器具に電力を供給する制御装置と、を備える。検出装置は、タスク照明器具が着脱可能に接続される被接続手段と、タスク照明器具の点灯状態を検出する状態検出手段と、状態検出手段が検出した点灯状態に基づいて、アンビエント照明器具から放射される光の量を調節するための制御指令を演算する演算手段と、演算手段が演算した結果に対応する信号を送信する送信手段と、を備える。制御装置は、送信手段から送信された信号を受信する受信手段と、受信手段が受信した信号に基づいて、アンビエント照明器具を点灯させる調光制御手段と、を備える。
【０００８】
この発明に係る照明システムは、第１タスク照明器具と、第２タスク照明器具と、第１タスク照明器具又は第２タスク照明器具の少なくとも一方からの光が当たる領域より広い領域に光を当てるアンビエント照明器具と、電源からの電力を第１タスク照明器具に供給する第１検出装置と、電源からの電力を第２タスク照明器具に供給する第２検出装置と、アンビエント照明器具に電力を供給する制御装置と、を備える。第１検出装置は、第１タスク照明器具が着脱可能に接続される第１被接続手段と、第１タスク照明器具の点灯状態を検出する第１状態検出手段と、第１状態検出手段が検出した点灯状態に対応する信号を送信する第１送信手段と、を備える。第２検出装置は、第２タスク照明器具が着脱可能に接続される第２被接続手段と、第２タスク照明器具の点灯状態を検出する第２状態検出手段と、第１送信手段から送信された信号を受信する第１受信手段と、第２状態検出手段が検出した点灯状態及び第１受信手段が受信した信号に基づいて、アンビエント照明器具から放射される光の量を調節するための制御指令を演算する演算手段と、演算手段が演算した結果に対応する信号を送信する第２送信手段と、を備える。制御装置は、第２送信手段から送信された信号を受信する第２受信手段と、第２受信手段が受信した信号に基づいて、アンビエント照明器具を点灯させる調光制御手段と、を備える。
【０００９】
この発明に係る照明システムは、タスク照明器具と、タスク照明器具からの光が当たる領域より広い領域に光を当てるアンビエント照明器具と、電源からの電力をタスク照明器具に供給する検出装置と、第１制御装置と、アンビエント照明器具に電力を供給する第２制御装置と、を備える。検出装置は、タスク照明器具が着脱可能に接続される被接続手段と、タスク照明器具の点灯状態を検出する状態検出手段と、状態検出手段が検出した点灯状態に対応する信号を送信する第１送信手段と、を備える。第１制御装置は、第１送信手段から送信された信号を受信する第１受信手段と、第１受信手段が受信した信号に基づいて、アンビエント照明器具から放射される光の量を調節するための制御指令を演算する演算手段と、演算手段が演算した結果に対応する信号を送信する第２送信手段と、を備える。第２制御装置は、第２送信手段から送信された信号を受信する第２受信手段と、第２受信手段が受信した信号に基づいて、アンビエント照明器具を点灯させる調光制御手段と、を備える。
【００１０】
この発明に係る照明制御装置は、電源からの電力をタスク照明器具に供給する検出装置と、アンビエント照明器具に電力を供給する制御装置と、を備える。検出装置は、タスク照明器具が着脱可能に接続される被接続手段と、被接続手段に接続されたタスク照明器具の点灯状態を検出する状態検出手段と、を備える。制御装置は、状態検出手段が検出した点灯状態に基づいて、アンビエント照明器具から放射される光の量を調節する。
【００１１】
この発明に係る照明制御装置は、電源からの電力をタスク照明器具に供給する検出装置と、アンビエント照明器具に電力を供給する制御装置と、を備える。検出装置は、タスク照明器具が着脱可能に接続される被接続手段と、被接続手段に接続されたタスク照明器具の点灯状態を検出する状態検出手段と、状態検出手段が検出した点灯状態に基づいて、アンビエント照明器具から放射される光の量を調節するための制御指令を演算する演算手段と、演算手段が演算した結果に対応する信号を送信する送信手段と、を備える。制御装置は、送信手段から送信された信号を受信する受信手段と、受信手段が受信した信号に基づいて、アンビエント照明器具を点灯させる調光制御手段と、を備える。
【００１２】
この発明に係る照明制御装置は、電源からの電力を第１タスク照明器具に供給する第１検出装置と、電源からの電力を第２タスク照明器具に供給する第２検出装置と、アンビエント照明器具に電力を供給する制御装置と、を備える。第１検出装置は、第１タスク照明器具が着脱可能に接続される第１被接続手段と、第１被接続手段に接続された第１タスク照明器具の点灯状態を検出する第１状態検出手段と、第１状態検出手段が検出した点灯状態に対応する信号を送信する第１送信手段と、を備える。第２検出装置は、第２タスク照明器具が着脱可能に接続される第２被接続手段と、第２被接続手段に接続された第２タスク照明器具の点灯状態を検出する第２状態検出手段と、第１送信手段から送信された信号を受信する第１受信手段と、第２状態検出手段が検出した点灯状態及び第１受信手段が受信した信号に基づいて、アンビエント照明器具から放射される光の量を調節するための制御指令を演算する演算手段と、演算手段が演算した結果に対応する信号を送信する第２送信手段と、を備える。制御装置は、第２送信手段から送信された信号を受信する第２受信手段と、第２受信手段が受信した信号に基づいて、アンビエント照明器具を点灯させる調光制御手段と、を備える。
【００１３】
この発明に係る照明制御装置は、電源からの電力をタスク照明器具に供給する検出装置と、第１制御装置と、アンビエント照明器具に電力を供給する第２制御装置と、を備える。検出装置は、タスク照明器具が着脱可能に接続される被接続手段と、被接続手段に接続されたタスク照明器具の点灯状態を検出する状態検出手段と、状態検出手段が検出した点灯状態に対応する信号を送信する第１送信手段と、を備える。第１制御装置は、第１送信手段から送信された信号を受信する第１受信手段と、第１受信手段が受信した信号に基づいて、アンビエント照明器具から放射される光の量を調節するための制御指令を演算する演算手段と、演算手段が演算した結果に対応する信号を送信する第２送信手段と、を備える。第２制御装置は、第２送信手段から送信された信号を受信する第２受信手段と、第２受信手段が受信した信号に基づいて、アンビエント照明器具を点灯させる調光制御手段と、を備える。
【発明の効果】
【００１４】
例えば、この発明に係る照明システムは、タスク照明器具、アンビエント照明器具、検出装置及び制御装置を備える。検出装置は、タスク照明器具が着脱可能に接続される被接続手段とタスク照明器具の点灯状態を検出する状態検出手段とを備える。制御装置は、状態検出手段が検出した点灯状態に基づいて、アンビエント照明器具から放射される光の量を調節する。この発明であれば、照明システムを実現する際に、タスク照明器具として専用の器具を用いる必要がない。
【図面の簡単な説明】
【００１５】
【図１】この発明の実施の形態１における照明システムの例を示す図である。
【図２】図１に示す照明システムが適用された部屋の例を示す平面図である。
【図３】図２のＡ−Ａ矢視を示す図である。
【図４】この発明の実施の形態１における照明システムの動作例を説明するための図である。
【図５】この発明の実施の形態１における照明システムの他の動作例を説明するための図である。
【図６】この発明の実施の形態１における照明システムの他の動作例を説明するための図である。
【図７】この発明の実施の形態１における照明システムの他の例を示す図である。
【図８】この発明の実施の形態１における照明システムの他の例を示す図である。
【図９】この発明の実施の形態１における照明システムの他の例を示す図である。
【図１０】この発明の実施の形態２における照明システムの例を示す図である。
【図１１】図１０に示す照明システムが適用された部屋の例を示す平面図である。
【図１２】この発明の実施の形態２における照明システムの動作例を説明するための図である。
【図１３】この発明の実施の形態２における照明システムの他の例を示す図である。
【図１４】この発明の実施の形態２における照明システムの他の例を示す図である。
【発明を実施するための形態】
【００１６】
添付の図面を参照し、本発明を説明する。重複する説明は、適宜簡略化或いは省略する。各図において、同一の符号は同一の部分又は相当する部分を示す。
【００１７】
実施の形態１．
図１は、この発明の実施の形態１における照明システムの例を示す図である。図２は、図１に示す照明システムが適用された部屋の例を示す平面図である。図３は、図２のＡ−Ａ矢視を示す図である。本実施の形態に示す照明システムは、タスク・アンビエント照明方式を採用するシステムである。照明システムは、例えばタスク照明器具１、アンビエント照明器具２、検出装置３及び制御装置４を備える。
【００１８】
タスク照明器具１は、例えば机５の上にある書類等を照らすために用いられる。図２及び図３は、タスク照明器具１が机５の上に置かれた例を示す。
【００１９】
アンビエント照明器具２は、例えば部屋全体を照らすために用いられる。アンビエント照明器具２は、タスク照明器具１からの光が当たる領域より広い領域に光を当てる。アンビエント照明器具２からの光が当たる領域は、タスク照明器具１からの光が当たる領域の少なくとも一部を含む。図２及び図３は、アンビエント照明器具２が天井６に設けられた例を示す。図２及び図３に示す例では、アンビエント照明器具２はタスク照明器具１より上方に配置される。
【００２０】
タスク照明器具１は、例えば光源７、スイッチ８及び接続具９を備える。スイッチ８は、点灯と消灯とを切り替えるためのスイッチである。スイッチ８がオンになると、光源７に電力が供給可能な状態になる。スイッチ８がオフになると、光源７に電力が供給されない状態になる。接続具９は、例えば差込プラグである。
【００２１】
検出装置３は、電源からの電力をタスク照明器具１に供給する。即ち、タスク照明器具１は、検出装置３を介して電源に接続される。図２及び図３は、検出装置３がタスク照明器具１と共に机５の上に置かれた例を示す。検出装置３は、例えば被接続具１０、状態検出部１１及び送信部１２を備える。
【００２２】
被接続具１０に、タスク照明器具１の接続具９が接続される。被接続具１０は、例えばプラグ受け、即ちコンセントである。接続具９は、被接続具１０から取り外すことができる。タスク照明器具１は、検出装置３の被接続具１０に着脱可能に接続される。
【００２３】
状態検出部１１は、被接続具１０に接続されたタスク照明器具１の点灯状態を検出する。状態検出部１１は、例えばタスク照明器具１に流れる電流を検出する機能を有する。状態検出部１１は、タスク照明器具１に流れる電流を検出するためにリレー或いはループ線等を用いても良い。例えば、状態検出部１１がリレーを備える場合、リレーのコイルをタスク照明器具１への電流経路の一部とすれば良い。かかる場合、タスク照明器具１が点灯すればリレー接点が閉じられる。タスク照明器具１が消灯していれば、リレー接点は開放される。これにより、状態検出部１１は、タスク照明器具１が点灯しているのか消灯しているのかを検出できる。
【００２４】
状態検出部１１がループ線を備える場合は、例えば、タスク照明器具１への２本の交流線のうちの１本がこのループ線を貫通するように配置される。かかる場合、タスク照明器具１が点灯すればループ線に電磁誘導によって電流が発生する。タスク照明器具１が消灯していれば、ループ線に電流は発生しない。これにより、状態検出部１１は、タスク照明器具１が点灯しているのか消灯しているのかを検出できる。
【００２５】
送信部１２は、状態検出部１１が検出した点灯状態に対応する信号を制御装置４に無線送信する。例えば、送信部１２は、タスク照明器具１が点灯していることが状態検出部１１によって検出されると、オン信号を制御装置４に送信する。送信部１２は、タスク照明器具１が消灯していることが状態検出部１１によって検出されると、オフ信号を制御装置４に送信する。
【００２６】
制御装置４は、アンビエント照明器具２に電力を供給する。また、制御装置４は、タスク照明器具１の点灯状態に合わせてアンビエント照明器具２を制御する。図３は、制御装置４がアンビエント照明器具２の筐体内に配置された例を示す。制御装置４は、例えば受信部１３及び調光部１４を備える。
【００２７】
受信部１３は、送信部１２から送信された信号を受信する。調光部１４は、受信部１３が受信した信号に基づいて、アンビエント照明器具２から放射される光の量を調節する。即ち、制御装置４の調光部１４は、検出装置３の状態検出部１１が検出したタスク照明器具１の点灯状態に基づいて、アンビエント照明器具２の調光制御を行う。
【００２８】
図４は、この発明の実施の形態１における照明システムの動作例を説明するための図である。図４は、表１に示す具体例をグラフ化したものである。
【００２９】
【表１】
2018147629.tif 000003
【００３０】
図４に示す例では、調光部１４は、タスク照明器具１で消費される電力とアンビエント照明器具２で消費される電力との合計が設定電力となるように、アンビエント照明器具２から放射される光の量を調節する。図４は、設定電力が３５Ｗである例を示す。例えば、アンビエント照明器具２を１００％の出力で点灯させると、アンビエント照明器具２で消費される電力は３５Ｗになる。
【００３１】
例えば、タスク照明器具１が消灯していると、送信部１２からオフ信号が送信される。送信部１２から送信されたオフ信号は、受信部１３によって受信される。調光部１４は、受信部１３が送信部１２からオフ信号を受信することによってタスク照明器具１が消灯していることを判定する。調光部１４は、受信部１３がオン信号を受信しないことによってタスク照明器具１が消灯していることを判定しても良い。調光部１４は、タスク照明器具１が消灯している場合は、アンビエント照明器具２を１００％の出力で点灯させる。即ち、調光部１４は、タスク照明器具１で消費される電力が０Ｗであるため、アンビエント照明器具２で消費される電力が３５Ｗとなるようにアンビエント照明器具２から放射される光の量を調節する。
【００３２】
図４は、タスク照明器具１が点灯すると、タスク照明器具１で７Ｗの電力が消費される例を示す。タスク照明器具１が点灯すると、送信部１２からオン信号が送信される。送信部１２から送信されたオン信号は、受信部１３によって受信される。調光部１４は、受信部１３が送信部１２からオン信号を受信することによってタスク照明器具１が点灯していることを判定する。調光部１４は、受信部１３がオフ信号を受信しないことによってタスク照明器具１が点灯していることを判定しても良い。調光部１４は、タスク照明器具１が点灯している場合は、タスク照明器具１で消費される電力が７Ｗであるため、アンビエント照明器具２で消費される電力が２８Ｗとなるようにアンビエント照明器具２から放射される光の量を調節する。即ち、調光部１４は、タスク照明器具１が点灯している場合は、タスク照明器具１が消灯している場合よりアンビエント照明器具２から放射される光を弱める。図４は、タスク照明器具１の消費電力の増分だけ、アンビエント照明器具２の消費電力を減らす例を示す。
【００３３】
図４に示す例であれば、照明システムに必要な電力を一定に保つことができる。
【００３４】
図５及び図６は、この発明の実施の形態１における照明システムの他の動作例を説明するための図である。図５及び図６は、表２に示す具体例をグラフ化したものである。
【００３５】
【表２】
2018147629.tif 000004
【００３６】
図５及び図６に示す例では、調光部１４は、タスク照明器具１からの光が当たる領域の照度が設定照度となるように、アンビエント照明器具２から放射される光の量を調節する。図２及び図３に示す例であれば、タスク照明器具１からの光が当たる領域の照度とは、机５の上面の照度である。図５は、設定照度が５００ｌｘである例を示す。例えば、アンビエント照明器具２を１００％の出力で点灯させると、机５の上面の照度は５００ｌｘになる。
【００３７】
例えば、調光部１４は、受信部１３が送信部１２からオフ信号を受信することによってタスク照明器具１が消灯していることを判定する。調光部１４は、タスク照明器具１が消灯している場合は、アンビエント照明器具２を１００％の出力で点灯させる。したがって、この時の机５の上面の照度は５００ｌｘになる。また、アンビエント照明器具２では、３５Ｗの電力が消費される。
【００３８】
一方、調光部１４は、受信部１３が送信部１２からオン信号を受信することによってタスク照明器具１が点灯していることを判定する。調光部１４は、タスク照明器具１が点灯している場合は、タスク照明器具１による照度と合わせて机５の上面の照度が５００ｌｘとなるように、アンビエント照明器具２から放射される光の量を調節する。即ち、調光部１４は、タスク照明器具１が点灯している場合は、タスク照明器具１が消灯している場合よりアンビエント照明器具２から放射される光を弱める。
【００３９】
図５及び図６は、タスク照明器具１が点灯することによって机５の上面の照度が３５０ｌｘだけ増える例を示す。かかる場合、調光部１４は、例えばアンビエント照明器具２で消費される電力が１２Ｗとなるように、アンビエント照明器具２から放射される光の量を調節する。これにより、タスク照明器具１とアンビエント照明器具２との双方によって、机５の上面において５００ｌｘの照度を得る。図５及び図６は、タスク照明器具１が点灯すると、タスク照明器具１で消費される電力とアンビエント照明器具２で消費される電力との合計が１９Ｗになる例を示す。
【００４０】
図５及び図６に示す例であれば、机５の上面の照度を一定に保つことができる。また、タスク照明器具１が使用される場合は、照明システムに必要な電力を下げることができる。
【００４１】
本実施の形態に示す例では、検出装置３が被接続具１０、状態検出部１１及び送信部１２を備える。タスク照明器具１の点灯状態が状態検出部１１によって検出され、その検出結果を示す信号が送信部１２から送信される。また、タスク照明器具１は、検出装置３の被接続具１０に着脱可能に接続される。このため、本実施の形態に示す例であれば、タスク照明器具１として専用の器具を用いる必要はない。例えば、タスク照明器具１として市販の卓上型のランプを用いることも可能である。
【００４２】
タスク照明器具１は、卓上型のランプのように差込プラグを有するものが多い。このため、検出装置３は、被接続具１０としてコンセントを備えることが好ましい。タスク照明器具１が机５或いはパーティション等の家具に内蔵されている場合は、タスク照明器具１と検出装置３とが端子台接続される場合がある。このため、検出装置３は、被接続具１０として端子台を備えても良い。検出装置３は、被接続具１０としてコンセントと端子台との双方を備えても良い。
【００４３】
本実施の形態では、タスク照明器具１が点灯しているのか消灯しているのかを状態検出部１１によって検出する例について説明した。これは一例である。状態検出部１１は、タスク照明器具１の点灯状態として、タスク照明器具１に流れる電流の値を検出しても良い。かかる場合、調光部１４は、状態検出部１１が検出した電流値に基づいて、アンビエント照明器具２の調光制御を行う。
【００４４】
本実施の形態では、制御装置４がアンビエント照明器具２の筐体内に配置される例について説明した。これは一例である。制御装置４は、アンビエント照明器具２の筐体の外に配置されても良い。また、制御装置４の一部の機能を検出装置３の筐体内に配置しても良い。
【００４５】
図７は、この発明の実施の形態１における照明システムの他の例を示す図である。図７に示す照明システムは、上記調光部１４が有する一部の機能を検出装置３が備える例に相当する。即ち、図７に示す演算部１５の機能と調光制御部１６の機能とが図１から図６に示す調光部１４の機能に相当する。
【００４６】
図７に示す例では、検出装置３は、電源からの電力をタスク照明器具１に供給する。例えば、検出装置３は、被接続具１０、状態検出部１１、演算部１５及び送信部１２を備える。演算部１５は、状態検出部１１が検出した点灯状態に基づいて、アンビエント照明器具２から放射される光の量を調節するための制御指令を演算する。例えば、演算部１５は、タスク照明器具１で消費される電力とアンビエント照明器具２で消費される電力との合計が設定電力となるような制御指令を演算する。演算部１５は、タスク照明器具１からの光が当たる領域の照度が設定照度となるような制御指令を演算しても良い。送信部１２は、演算部１５が演算した結果に対応する信号を制御装置４に送信する。
【００４７】
制御装置４は、アンビエント照明器具２に電力を供給する。また、制御装置４は、タスク照明器具１の点灯状態に合わせたアンビエント照明器具２の制御を行う。例えば、制御装置４は、受信部１３及び調光制御部１６を備える。受信部１３は、送信部１２から送信された信号を受信する。調光制御部１６は、受信部１３が受信した信号に基づいて、アンビエント照明器具２から放射される光の量を調節する。即ち、調光制御部１６は、演算部１５によって演算された制御指令通りに、アンビエント照明器具２を点灯させる。
【００４８】
本実施の形態では、１台のアンビエント照明器具２に対し、１台のタスク照明器具１が備えられる例について説明した。これは一例である。本照明システムは、１台のアンビエント照明器具２と複数台のタスク照明器具１とを備えても良い。
【００４９】
図８は、この発明の実施の形態１における照明システムの他の例を示す図である。図８に示す例では、１台のアンビエント照明器具２に対し、複数台のタスク照明器具１が備えられる。例えば、照明システムは、複数組のタスク照明器具１及び検出装置３を備える。各検出装置３に、１台のタスク照明器具１が接続される。照明システムに備えられるタスク照明器具１及び検出装置３は２組であっても良い。照明システムに複数台のタスク照明器具１が備えられる場合、アンビエント照明器具２は、１台のタスク照明器具１からの光が当たる領域より広い領域に光を当てる。照明システムは、１台のアンビエント照明器具２と１台の制御装置４とを更に備える。
【００５０】
図８に示す例では、検出装置３のそれぞれに、被接続具１０、状態検出部１１及び送信部１２が備えられる。状態検出部１１は、対応のタスク照明器具１の点灯状態を検出する。例えば、検出装置３ａにタスク照明器具１ａが接続されている場合、検出装置３ａの状態検出部１１は、タスク照明器具１ａの点灯状態を検出する。検出装置３ａの送信部１２は、状態検出部１１が検出したタスク照明器具１ａの点灯状態に対応する信号を制御装置４に無線送信する。
【００５１】
制御装置４の受信部１３は、送信部１２のそれぞれから送信された信号を受信する。調光部１４は、受信部１３が受信した各信号に基づいて、アンビエント照明器具２から放射される光の量を調節する。例えば、調光部１４は、タスク照明器具１のそれぞれで消費される電力とアンビエント照明器具２で消費される電力との合計が設定電力となるように、アンビエント照明器具２から放射される光の量を調節する。
【００５２】
照明システムが複数のタスク照明器具１を備える場合は、アンビエント照明器具２に対する電力の下限値を予め設定しても良い。例えば、調光部１４は、タスク照明器具１のそれぞれで消費される電力とアンビエント照明器具２で消費される電力との合計が設定電力になるように制御した場合に、アンビエント照明器具２で消費される電力が下限値を下回るか否かを判定する。調光部１４は、アンビエント照明器具２で消費される電力が下限値を下回る場合に、アンビエント照明器具２で消費される電力が下限値となるようにアンビエント照明器具２から放射される光の量を調節する。これにより、部屋全体が暗くなり過ぎることを防止できる。
【００５３】
タスク照明器具１からの光が当たる領域の照度が設定照度となるようにアンビエント照明器具２に対する調光制御を行う場合に、アンビエント照明器具２に対する電力の下限値を予め設定しても良い。
【００５４】
また、図８に示す例においても、図７に示す例と同様に、制御装置４の一部の機能を検出装置３の筐体内に配置しても良い。図９は、この発明の実施の形態１における照明システムの他の例を示す図である。図９に示す照明システムは、図８に示す例において調光部１４が有する一部の機能を検出装置３が備える例に相当する。即ち、図９に示す演算部１５の機能と調光制御部１６の機能とが図８に示す調光部１４の機能に相当する。図９は、１台の検出装置３が、他の検出装置３からの信号を集約する親機として使用される例を示す。
【００５５】
図９に示す例では、照明システムは、１台のアンビエント照明器具２と複数台のタスク照明器具１とを備える。また、照明システムは、複数組のタスク照明器具１及び検出装置３を備える。各検出装置３に、１台のタスク照明器具１が接続される。図９は、照明システムが３組以上のタスク照明器具１及び検出装置３を備える例を示すが、照明システムが備えるタスク照明器具１及び検出装置３は２組であっても良い。上述したように、１台の検出装置３は親機として使用される。例えば、アンビエント照明器具２は、親機である検出装置３に接続されたタスク照明器具１又は親機ではない検出装置３に接続された１台のタスク照明器具１の少なくとも一方からの光が当たる領域より広い領域に光を当てる。
【００５６】
図９に示す例では、親機以外の検出装置３のそれぞれに、被接続具１０、状態検出部１１及び送信部１２が備えられる。状態検出部１１は、対応のタスク照明器具１の点灯状態を検出する。送信部１２は、状態検出部１１が検出したタスク照明器具１の点灯状態に対応する信号を、親機である検出装置３に送信する。
【００５７】
親機である検出装置３は、被接続具１０、状態検出部１１、受信部１７、演算部１５及び送信部１２を備える。受信部１７は、他の検出装置３の送信部１２から送信された信号を受信する。演算部１５は、各状態検出部１１が検出した点灯状態に基づいて、アンビエント照明器具２から放射される光の量を調節するための制御指令を演算する。即ち、演算部１５は、親機である検出装置３の状態検出部１１によって検出された点灯状態と親機以外の検出装置３の状態検出部１１によって検出された点灯状態とに基づいて、上記演算を行う。具体的に、演算部１５は、親機である検出装置３の状態検出部１１によって検出された点灯状態と受信部１７が受信した信号とに基づいて、上記演算を行う。例えば、演算部１５は、上述した例と同様に、電力一定制御或いは照度一定制御のための制御指令を演算する。親機である検出装置３の送信部１２は、演算部１５が演算した結果に対応する信号を制御装置４に無線送信する。
【００５８】
制御装置４は、アンビエント照明器具２に電力を供給する。また、制御装置４は、タスク照明器具１の点灯状態に合わせたアンビエント照明器具２の制御を行う。例えば、制御装置４は、受信部１３及び調光制御部１６を備える。受信部１３は、親機である検出装置３の送信部１２から送信された信号を受信する。調光制御部１６は、受信部１３が受信した信号に基づいて、アンビエント照明器具２から放射される光の量を調節する。即ち、調光制御部１６は、演算部１５によって演算された制御指令通りに、アンビエント照明器具２を点灯させる。なお、制御装置４は、アンビエント照明器具２に内蔵された装置であっても良い。
【００５９】
実施の形態２．
図１０は、この発明の実施の形態２における照明システムの例を示す図である。図１１は、図１０に示す照明システムが適用された部屋の例を示す平面図である。図１０及び図１１に示す照明システムは、複数組のタスク照明器具１及び検出装置３を備える。また、照明システムは、制御装置４と複数のアンビエント照明器具２とを備える。本実施の形態に示す例において、照明システムが備えるタスク照明器具１の台数及びアンビエント照明器具２の台数は任意である。以下に、図１１に示す具体例について詳しく説明する。
【００６０】
図１１に示す例では、照明システムがタスク照明器具１ａ〜１ｈ、アンビエント照明器具２ａ〜２ｆ、検出装置３ａ〜３ｈ及び制御装置４を備える。タスク照明器具１ａ〜１ｈのそれぞれに、光源７、スイッチ８及び接続具９が備えられる。検出装置３ａ〜３ｈのそれぞれに、被接続具１０、状態検出部１１及び送信部１２が備えられる。
【００６１】
例えば、タスク照明器具１ａは、検出装置３ａの被接続具１０に着脱可能に接続される。検出装置３ａは、電源からの電力をタスク照明器具１ａに供給する。タスク照明器具１ｂは、検出装置３ｂの被接続具１０に着脱可能に接続される。検出装置３ｂは、電源からの電力をタスク照明器具１ｂに供給する。同様に、タスク照明器具１ｈは、検出装置３ｈの被接続具１０に着脱可能に接続される。検出装置３ｈは、電源からの電力をタスク照明器具１ｈに供給する。
【００６２】
状態検出部１１は、対応のタスク照明器具１の点灯状態を検出する。例えば、検出装置３ａに備えられた状態検出部１１は、タスク照明器具１ａの点灯状態を検出する。検出装置３ｂに備えられた状態検出部１１は、タスク照明器具１ｂの点灯状態を検出する。同様に、検出装置３ｈに備えられた状態検出部１１は、タスク照明器具１ｈの点灯状態を検出する。
【００６３】
送信部１２は、状態検出部１１が検出した点灯状態に対応する信号を制御装置４に無線送信する。例えば、検出装置３ａに備えられた送信部１２は、タスク照明器具１ａの点灯状態に対応する信号を制御装置４に無線送信する。検出装置３ｂに備えられた送信部１２は、タスク照明器具１ｂの点灯状態に対応する信号を制御装置４に無線送信する。同様に、検出装置３ｈに備えられた送信部１２は、タスク照明器具１ｈの点灯状態に対応する信号を制御装置４に無線送信する。
【００６４】
制御装置４は、アンビエント照明器具２ａ〜２ｆに電力を供給する。また、制御装置４は、タスク照明器具１ａ〜１ｈの各点灯状態に合わせてアンビエント照明器具２ａ〜２ｆを制御する。制御装置４は、例えば受信部１３及び調光部１４を備える。
【００６５】
受信部１３は、送信部１２のそれぞれから送信された信号を受信する。即ち、検出装置３ａに備えられた送信部１２から送信された信号は、受信部１３によって受信される。検出装置３ｂに備えられた送信部１２から送信された信号は、受信部１３によって受信される。同様に、検出装置３ｈに備えられた送信部１２から送信された信号は、受信部１３によって受信される。調光部１４は、受信部１３が受信した信号に基づいて、アンビエント照明器具２ａ〜２ｆから放射される光の量を調節する。
【００６６】
図１２は、この発明の実施の形態２における照明システムの動作例を説明するための図である。図１２は、表３に示す具体例をグラフ化したものである。
【００６７】
【表３】
2018147629.tif 000005
【００６８】
図１２に示す例では、制御装置４の調光部１４は、タスク照明器具１ａ〜１ｈで消費される電力とアンビエント照明器具２ａ〜２ｆで消費される電力との合計が設定電力となるように、アンビエント照明器具２のそれぞれから放射される光の量を調節する。図１２は、全てのアンビエント照明器具２を点灯させる例を示す。また、図１２は、アンビエント照明器具２のそれぞれで消費される電力が同じになるように、調光部１４が制御を行う例を示す。
【００６９】
例えば、全てのタスク照明器具１が消灯している場合、調光部１４は、６台のアンビエント照明器具２のそれぞれを１００％の出力で点灯させる。１００％の出力で点灯するアンビエント照明器具２は、１台につき３５Ｗの電力を消費する。このため、照明システム全体の消費電力は２１０Ｗとなる。
【００７０】
この状態から１台のタスク照明器具１が点灯すると、８台のタスク照明器具１で消費される電力は７Ｗになる。調光部１４は、照明システム全体の消費電力が２１０Ｗとなるように、６台のアンビエント照明器具２で消費される電力を２０３Ｗにする。例えば、調光部１４は、タスク照明器具１が点灯することによって減少させる電力を、６台のアンビエント照明器具２に均等に割り振る。即ち、調光部１４は、１台のアンビエント照明器具２で消費される電力が３３．８Ｗとなるように、アンビエント照明器具２のそれぞれから放射される光の量を調節する。調光部１４は、複数のタスク照明器具１が点灯した場合も同様に、アンビエント照明器具２のそれぞれから放射される光の量を調節する。
【００７１】
本実施の形態に示す例においても、実施の形態１で開示した例が奏する効果と同様の効果を奏することができる。なお、本実施の形態で説明しない照明システムの機能については、実施の形態１で説明した何れの機能を採用しても良い。
【００７２】
本実施の形態に示す例においても、アンビエント照明器具２に対する電力の下限値を予め設定しておくことが好ましい。調光部１４は、上記調光制御においてアンビエント照明器具２で消費される電力が下限値を下回る場合に、アンビエント照明器具２で消費される電力が下限値となるようにアンビエント照明器具２から放射される光の量を調節する。
【００７３】
図１３は、この発明の実施の形態２における照明システムの他の例を示す図である。図１３に示す照明システムは、図１０に示す制御装置４が有する機能を、システム制御装置１８と複数の器具制御装置１９とに分けた例に相当する。
【００７４】
図１３に示す例では、照明システムは、複数台のタスク照明器具１と複数台のアンビエント照明器具２とを備える。また、照明システムは、複数組のタスク照明器具１及び検出装置３を備える。タスク照明器具１及び検出装置３については、図１０から図１２に示す例と同様である。送信部１２は、状態検出部１１が検出した点灯状態に対応する信号をシステム制御装置１８に送信する。
【００７５】
システム制御装置１８は、各検出装置３からの信号を集約する。システム制御装置１８は、例えば受信部１３、演算部１５及び送信部２０を備える。受信部１３は、送信部１２のそれぞれから送信された信号を受信する。演算部１５は、受信部１３が受信した信号に基づいて、アンビエント照明器具２から放射される光の量を調節するための制御指令を演算する。即ち、演算部１５は、各状態検出部１１が検出した点灯状態に基づいて上記演算を行う。例えば、演算部１５は、上述した例と同様に、電力一定制御のための制御指令を演算する。送信部２０は、演算部１５が演算した結果に対応する信号を器具制御装置１９のそれぞれに無線送信する。
【００７６】
図１３に示す照明システムは、複数組のアンビエント照明器具２及び器具制御装置１９を備える。各器具制御装置１９に、１台のアンビエント照明器具２が接続される。器具制御装置１９は、対応のアンビエント照明器具２に内蔵された装置であっても良い。照明システムに備えられるアンビエント照明器具２及び器具制御装置１９は２組であっても良い。
【００７７】
器具制御装置１９は、対応のアンビエント照明器具２に電力を供給する。器具制御装置１９は、タスク照明器具１の点灯状態に合わせて対応のアンビエント照明器具２を制御する。図１３に示す例では、器具制御装置１９のそれぞれに、受信部２１及び調光制御部１６が備えられる。受信部２１は、システム制御装置１８の送信部２０から送信された信号を受信する。調光制御部１６は、受信部２１が受信した信号に基づいて、対応のアンビエント照明器具２から放射される光の量を調節する。即ち、調光制御部１６は、演算部１５によって演算された制御指令通りに、対応のアンビエント照明器具２を点灯させる。
【００７８】
図１３は、照明システムが複数組のタスク照明器具１及び検出装置３と複数組のアンビエント照明器具２及び器具制御装置１９とを備える例を示す。これは一例である。照明システムは、タスク照明器具１及び検出装置３を１組しか備えていなくても良い。照明システムは、アンビエント照明器具２及び器具制御装置１９を１組しか備えていなくても良い。照明システムは、タスク照明器具１及び検出装置３とアンビエント照明器具２及び器具制御装置１９とをそれぞれ１組しか備えていなくても良い。
【００７９】
図１４は、この発明の実施の形態２における照明システムの他の例を示す図である。図１４に示す照明システムは、図１３に示すシステム制御装置１８が有する機能を検出装置３が備える例に相当する。図１４は、１台の検出装置３が、他の検出装置３からの信号を集約する親機として使用される例を示す。
【００８０】
図１４に示す例では、照明システムは、複数台のタスク照明器具１と複数台のアンビエント照明器具２とを備える。また、照明システムは、複数組のタスク照明器具１及び検出装置３を備える。各検出装置３に、１台のタスク照明器具１が接続される。上述したように、１台の検出装置３は親機として使用される。
【００８１】
図１４に示す例では、親機以外の検出装置３のそれぞれに、被接続具１０、状態検出部１１及び送信部１２が備えられる。状態検出部１１は、対応のタスク照明器具１の点灯状態を検出する。送信部１２は、状態検出部１１が検出したタスク照明器具１の点灯状態に対応する信号を、親機である検出装置３に送信する。
【００８２】
親機である検出装置３は、被接続具１０、状態検出部１１、受信部１７、演算部１５及び送信部１２を備える。受信部１７は、他の検出装置３の送信部１２から送信された信号を受信する。演算部１５は、各状態検出部１１が検出した点灯状態に基づいて、アンビエント照明器具２から放射される光の量を調節するための制御指令を演算する。即ち、演算部１５は、親機である検出装置３の状態検出部１１によって検出された点灯状態と親機以外の検出装置３の状態検出部１１によって検出された点灯状態とに基づいて、上記演算を行う。具体的に、演算部１５は、親機である検出装置３の状態検出部１１によって検出された点灯状態と受信部１７が受信した信号とに基づいて、上記演算を行う。例えば、演算部１５は、上述した例と同様に、電力一定制御のための制御指令を演算する。親機である検出装置３の送信部１２は、演算部１５が演算した結果に対応する信号を制御装置４のそれぞれに無線送信する。
【００８３】
図１４に示す照明システムは、複数組のアンビエント照明器具２及び制御装置４を備える。各制御装置４に、１台のアンビエント照明器具２が接続される。制御装置４は、対応のアンビエント照明器具２に内蔵された装置であっても良い。
【００８４】
制御装置４は、対応のアンビエント照明器具２に電力を供給する。制御装置４は、タスク照明器具１の点灯状態に合わせて対応のアンビエント照明器具２を制御する。図１４に示す例では、制御装置４のそれぞれに、受信部１３及び調光制御部１６が備えられる。受信部１３は、親機である検出装置３の送信部１２から送信された信号を受信する。調光制御部１６は、受信部１３が受信した信号に基づいて、対応のアンビエント照明器具２から放射される光の量を調節する。即ち、調光制御部１６は、演算部１５によって演算された制御指令通りに、対応のアンビエント照明器具２を点灯させる。
【００８５】
検出装置３は、図１に示すように他のハードウェア資源として、例えばプロセッサ２２とメモリ２３とを含む処理回路を備える。検出装置３は、メモリ２３に記憶されたプログラムをプロセッサ２２によって実行することにより、実施の形態１及び２で開示した各機能を実現する。検出装置３が有する各機能の一部又は全部をハードウェアによって実現しても良い。
【００８６】
制御装置４は、図１に示すように他のハードウェア資源として、例えばプロセッサ２４とメモリ２５とを含む処理回路を備える。制御装置４は、メモリ２５に記憶されたプログラムをプロセッサ２４によって実行することにより、実施の形態１及び２で開示した各機能を実現する。制御装置４が有する各機能の一部又は全部をハードウェアによって実現しても良い。
【００８７】
システム制御装置１８及び器具制御装置１９についても同様である。システム制御装置１８は、ハードウェア資源として、例えばプロセッサとメモリとを含む処理回路を備える。システム制御装置１８は、メモリに記憶されたプログラムをプロセッサによって実行することにより、実施の形態２で開示した各機能を実現する。システム制御装置１８が有する各機能の一部又は全部をハードウェアによって実現しても良い。また、器具制御装置１９は、ハードウェア資源として、例えばプロセッサとメモリとを含む処理回路を備える。器具制御装置１９は、メモリに記憶されたプログラムをプロセッサによって実行することにより、実施の形態２で開示した各機能を実現する。器具制御装置１９が有する各機能の一部又は全部をハードウェアによって実現しても良い。
【００８８】
実施の形態１及び２では、タスク照明器具１の点灯状態に対応する信号を検出装置３から制御装置４に送信する例について説明した。これは一例である。タスク照明器具１の点灯状態に対応する信号は、検出装置３が制御装置４からの要求信号を受信した場合に、その応答として検出装置３から制御装置４に送信されても良い。
【００８９】
検出装置３の動作電源は、タスク照明器具１用の電源と検出装置３とを有線接続することによって得ても良い。また、検出装置３の動作電源として、ループ線に発生する検出電流そのものを利用しても良い。検出装置３の動作電源として、太陽電池を利用しても良い。
【符号の説明】
【００９０】
１  タスク照明器具
２  アンビエント照明器具
３  検出装置
４  制御装置
５  机
６  天井
７  光源
８  スイッチ
９  接続具
１０  被接続具
１１  状態検出部
１２  送信部
１３  受信部
１４  調光部
１５  演算部
１６  調光制御部
１７  受信部
１８  システム制御装置
１９  器具制御装置
２０  送信部
２１  受信部
２２  プロセッサ
２３  メモリ
２４  プロセッサ
２５  メモリ
【図１】
2018147629.tif 000006
【図２】
2018147629.tif 000007
【図３】
2018147629.tif 000008
【図４】
2018147629.tif 000009
【図５】
2018147629.tif 000010
【図６】
2018147629.tif 000011
【図７】
2018147629.tif 000012
【図８】
2018147629.tif 000013
【図９】
2018147629.tif 000014
【図１０】
2018147629.tif 000015
【図１１】
2018147629.tif 000016
【図１２】
2018147629.tif 000017
【図１３】
2018147629.tif 000018
【図１４】
2018147629.tif 000019